Podtech/llm-jp-corpus-v4-ja_patent huggingface dataset:
(57)【要約】      （修正有）【課題】洗濯物を普通に引掛けるだけのハンガーや物干し器を物干し竿に取りつけるためのハンガーストッパーにおいて、風の日に位置がズレたり、飛ばされたりする事無く、耐久性があり、安価で、取付け取り外しが容易なハンガーストッパーを提供する。【解決手段】ハンガーストッパーＡにハンガー引掛け部とバネ効果を有するＲ形状部を設けて物干し竿を両側からはさむ様に構成し、ハンガーストッパーＡを持ち、物干し竿の上から押し込むと、ハンガーストッパーＡが物干し竿に固定されて、ハンガー引掛け部にハンガーＢを引掛ける事が出来る。【選択図】  図３
2004344615.tif 000002
【特許請求の範囲】
【請求項１】
物干し竿（Ｃ）に、ハンガー（Ｂ）を引掛けた部分の両側から、はさむ様に構成された物。
【請求項２】
物干し竿（Ｃ）にはさみ込んだ部分に、ハンガー（Ｂ）を引掛ける様に構成された物。
【請求項３】
物干し竿（Ｃ）に引掛け部又は、固定出来る様に作り、その下に複数ハンガー（Ｂ）が引掛けられる様に構成された物。
【発明の詳細な説明】
【０００１】
【発明の属する技術分野】
この発明は、風の日に、洗濯物を普通の引掛けるだけの、ハンガーや物干し器に取付けて、物干し竿に干しても、位置がズレたり、飛ばされたりする事無く、安心して洗濯出来る装置に関する物である。
【０００２】
【従来の技術】
従来の物で、ハンガーや物干し器が、物干し竿を下からはさみ込む様に構成された物が有りますが、これは、風の日に位置がズレたり、飛ばされたりしませんが、使用していると、物干し器のはさみ込む部分が破損してしまい、耐久性に欠けた所があります。
それと、物干し竿をはさんで下部の穴に、ハンガーを引掛ける物と、竿をはさんだ部分の穴に、ハンガーの引掛け部を通す物とがありますが、これは、洗濯物をハンガーに取付けてから、下部の穴に引掛けたり、通したりするのが大変手間がかかり、又、下部の穴にハンガーを引掛ける物は、洗濯物が重いと竿をはさんでいる部分が、開いて位置がズレたり、破損したりして不便な所があります。
【０００３】
【発明を解決しょうとする課題】
１、  物干し竿を下からはさみ込む、ハンガーや物干し器は、構造的に複雑に出来ていて、物干し器は、はさみ込む部分が破損したりして、耐久性に欠けている為、コスト高になっています。
２、  物干し竿をはさんで、下部の穴にハンガーを引掛ける物は、洗濯物が重いと、はさんでいる所が開いて、位置がズレたり破損したりします。又、洗濯物の取付け取り外しが不便です。
３、  物干し竿をはさんだ部分の穴に、ハンガーの引掛け部を通す物は、洗濯物の取付け取り外しが、大変やりにくく手間がかかり不便です。
【０００４】
【課題を解決するために手段】
この発明の構成を説明すると、
ハンガーストッパー（Ａ）を持ち、物干し竿（Ｃ）の上から押し込むと、ハンガーストッパー（Ａ）が固定されて、ハンガー引掛け部（Ｄ）からハンガー（Ｂ）を物干し竿（Ｃ）に引掛ける事が出来る様にセットする。
以上の様に装置する。
【０００５】
【発明の実施の形態】
この発明の実施の形態を述べると、
１、  ハンガーストッパー（Ａ）を持って、物干し竿（Ｃ）の上からはめ込むと、ハンガーストッパー（Ａ）のＲ形状部（Ｅ）のバネ効果により、物干し竿（Ｃ）に固定される。
２、  物干し竿（Ｃ）に取付けられた、ハンガーストッパー（Ａ）のハンガー引掛け部（Ｄ）からハンガー（Ｂ）を物干し竿（Ｃ）に引掛けると、風の日にハンガー引掛け部（Ｄ）の内側で止まり、その後洗濯物が、ズレたり飛ばされたりする事はない。
３、  ハンガーストッパー（Ａ）の下部を持ち上げると、Ｒ形状部（Ｅ）のバネ効果により物干し竿（Ｃ）から外れる。
【０００６】
他にこの様な方法も出来る。
物干し竿に固定するのに、紐、クサリ、ベルト等をもちいて、その下にハンガーが吊り下げ出来る様に構成された物。
【０００７】
【発明の効果】
このハンガーストッパーを使用すると、風の日に普通の引掛けるだけの、ハンガーや物干し器を使用しても、位置がズレたり、飛ばされたりしないので、乾きの悪い洗濯物が出来なくなります。
又、普通のハンガーは、安くていろいろな物がありますので、大変経済的で便利です。
【図面の簡単な説明】
【図１】平面図
【図２】側面図
【図３】
【図２】の縦断面図Ｘ−Ｘ
【符号の説明】
（Ａ）ハンガーストッパー
（Ｂ）はハンガー
（Ｃ）は物干し竿
（Ｄ）はハンガー引掛け部
（Ｅ）はＲ形状部
【図１】
2004344615.tif 000003
【図２】
2004344615.tif 000004
【図３】
2004344615.tif 000005
(57)【要約】【課題】紙ナプキンは一枚取り出すのに、二枚出てきたり、又下の紙を汚したりの無駄を解消して、取り出す良く、洗いやすく、お洒落で、図柄も楽しめ、家庭でも業務用としても、テーブル、カウンターの小さなポイントにもなり、機能的でインテリアとして使用出来るもの。【解決手段】ウエートローラー（２）を持ち上げて「留め（４）で外れずに」ホルダー（１）とストッパー（３）の間に紙ナプキンのたばを差し込み中心がウエートローラー（２）下になるようにセットすと、ストッパー（３）の形で、紙ナプキン一枚ずつれて取り出し安い状態なる。使用は紙ナプキンをつまんで引き出すとウエートローラー（２）が回転してスムーズ取り出せ、滑る止め付脚（５）で安定良く使用できる。【選択図】  図１
2004344619.tif 000002
【特許請求の範囲】
【請求項１】
ホルダー（１）ウエートローラー（２）ストッパー（３）、留め（４）滑り止め付脚（５）で構成された、紙ナプキンホルダーである。
【発明の詳細な説明】
【０００１】
【発明の属する技術分野】
この発明は紙ナプキンをテーブル、カウンターなどに、コンパクトに置けて一枚一枚取り出しやすい機能である。
【０００２】
【従来の技術】
従来、一枚取り出すのに、二枚出てきたり、又下に重なっている物を汚したりで、使用しにくい。
【０００３】
【発明が解決しようとする課題】
一枚ずつ出しやすくしかも、コンパクトでテーブルの上の調度品としてお洒落であること、紙ナプキンを簡単にセット出来又洗いやすいことである。
【０００４】
【課題を解決するための手段】
（イ）  ホルダー（１）真中の左右の穴に、取りつけたストッパー（３）の中心に通したウエートローラー（２）を持ち上げて、紙ナプキンの束をホルダダー（１）とストッパー（３）の間に差込み、紙ナプキンをホルダー（１）に合わせて置いて、ウエートローラー（２）下ろす、ホルダー（１）の反った形で、一枚一枚がずれた状態に成りセットできる。
（ロ）  紙ナプキン取り出すとき、ウエートローラー（２）の程よい重さと、回転でスムーズに下の紙ナプキンを乱さず一枚、又は数枚取り出せる。
（ハ）  留め（４）は、ウエートローラー（２）を持ち上げて紙ナプキンセットするときにストッパー（３）が外れないための止め具である。
滑り止め付脚（５）は、ストッパー（３）の上下のスペースであり、又テーブル、台などに本体を置いて使用するきに、安定よく使用する為の物である。
【０００５】
【発明の実施の形態】
紙ナプキンの束をウエートローラー（２）を持ち上げて「留め（４）で外さずに」ホルダー（１）とストッパー（３）の間に差込み、紙ナプキンの中心がウエートローラー（２）下に成るように置いて、ウエートローラー（２）をもどしてセット完了。使用は紙ナプキンをつまんで引き上げることで、ウエートローラー（２）が回転して最後の一枚までスムーズに、滑り止め付脚（５）とで安定良く取り出せ使用できる。
【０００６】
【実施例】
テーブル、カウンター、などに置いて使用する。
【０００７】
【発明の効果】
ホルダー（１）で前後を一枚一枚ずらし、ストッパー（３）で左右を乱さず、紙ナプキンの束をセットできる。
取り出すときに下の紙ナプキンにふれずに取り出せるので、下の分まで汚さず清潔で、無駄なく使用できる。
一枚ずつスムーズに引き出せる。
コンパクトなのでどんなスペースに置けそのまま収納にも良い。
紙ナプキン図柄を楽しめる効果もある。
ウエートローラー（２）はアクセントとして色々な形を楽しめる。
【図面の簡単な説明】
【図１】本考案の斜視図である。
【図２】本考案の使用図である。
【符号の説明】
１  ホルダー    ２  ウエートローラー    ３  ストッパー    ４  留め
５  滑り止め付脚
【図１】
2004344619.tif 000003
【図２】
2004344619.tif 000004
(57)【要約】【課題】安眠と快い目覚めを支援する方法を考案する【解決手段】アイマスクに光源を内蔵し、その光源により安眠と目覚ましが鳴る前に光を照射する事により脳を活性化し、快い目覚めを支援する。【特許請求の範囲】
【請求項１】
光源をアイマスクに内蔵し、安眠及び目覚ましを支援する装置。
【発明の詳細な説明】
【０００１】
【発明の属する技術分野】
この発明は、アイマスクの中に光源を内蔵し、安眠及び目覚ましを支援する為の装置である。
【０００２】
【従来の技術】
従来の目覚まし時計は音のみで目を覚ます方式がとられているため、目覚めが非常に不快感があった。
【０００３】
【発明が解決しようとする課題】
人が目を覚ますのは、非常に不快感を伴うものである。人間が快く目覚める条件は、眠りが浅い事と、明かりで脳が朝だと認識するという条件が一致した時である。ホテルなどでは目覚まし時計をセットすると、同時に起きる時間になると明かりがつき部屋が明るくなる設備がある所もあり、明かりで脳が朝だと認識するので目覚めがよい。しかし一般家庭では太陽光が入る東向きや南向きの部屋をとるのは難しく冬などは雨戸やカーテンを閉めている場合もあり、かといってこの不景気の中、家族で住む家の場合一人一部屋といった恵まれた住宅事情の人は皆無に等しく、家族に迷惑がかかるので電気スタンド等をタイマーでセットして明かりをつけるわけにもいかない。
【０００４】
【課題を解決するための手段】
アイマスクに黄色と白色の光源を内蔵し、目覚ましをセットした時間の約１０分前に白色光源を発光し、目覚ましをセットした時間の９０分の倍数時間になるまで黄色光源を薄暗く発光し消灯する装置を作成する。
【０００５】
【発明の実施の形態】
装置は黄色の普通の発光ダイオード（以下ＬＥＤと略す）、白色の高輝度ＬＥＤを内蔵したアイマスク、タイマーからなる。タイマーを起きる時間にセットすると、まず黄色のＬＥＤが薄暗く発光する。黄色のＬＥＤはセットした時間の９０分の倍数時間前になると消灯する。セットした時間の約１０分前になると、白色の高輝度ＬＥＤが発光する。ＬＥＤはＥＬ（エレクトロルミネッセンス）素子なども代用出来る。
【０００６】
【発明の効果】
本案は、上述のような構造であるから、目覚めたい時間の１０分前に太陽光線の波長に近い白色光線が瞼に照射されるため、脳が朝だと認識する。また、セットした時間の９０分の倍数時間前までは心を落ちつける黄色の光線が照射され、時間が来れば消灯し眠りを促すため、人間の眠りの深さのリズムのスパンは９０分であるため、セットした時間に眠りの浅い状態に強制的に持っていく事が出来る。以上２つの効果により、この装置はアイマスクの形態であるため周囲に迷惑をかけることなく快い目覚めを支援する事が出来る。
【図面の簡単な説明】
【第１図】アイマスク裏面
【第２図】アイマスク表面
【図１】
2004344618.tif 000002
【図２】
2004344618.tif 000003
(57)【要約】      （修正有）【課題】日本の住環境において西欧の「サンティー」に似たポリフェノールによる健康効果のある紅茶を作る方法を提案する。【解決手段】内面が鏡面になった筒の中に、数本の紫外線ランプを設置し、中心に透明な瓶を設置する。透明な瓶は取り外し可能にし、この瓶の中に水とティーパックを入れ、紫外線を照射し、紫外線で紅茶を煮出す事の出来る構造とする。【選択図】図１
2004344617.tif 000002
【特許請求の範囲】
【請求項１】
紫外線により紅茶を煮出す器具
【発明の詳細な説明】
【０００１】
【発明の属する技術分野】
この発明は、紫外線により紅茶を煮出す器具に関してである。
【０００２】
【従来の技術】
従来、紅茶はお湯で煮出していたため、紅茶に含まれるポリフェノールの健康効果が十分に発揮されなかった。
【０００３】
【発明が解決しようとする課題】
西欧では、「サンティー」と言って、昼間の太陽光線で紅茶を煮出す習慣があり、この「サンティー」には多くのポリフェノールが含まれており、高い健康効果がある。これを日本の住環境で再現したい。
【０００４】
【課題を解決するための手段】
紫外線ランプにより疑似太陽光線により紅茶を煮出す装置を作成する。
【０００５】
【発明の実施の形態】
内面が鏡面になった筒の中に、数本の紫外線ランプを設置し、中心に透明な瓶を設置する。透明な瓶は取り外し可能にし、この瓶の中に水とティーパックを入れ、紫外線を照射し、紫外線で紅茶を煮出す事の出来る構造とする。
【０００６】
【発明の効果】
本案は、上述のような構造作用であるから、西欧の「サンティー」の如く、この機器により調理された紅茶はポリフェノールによる健康効果が期待できる。
【図面の簡単な説明】
【第１図】発明の実施形態
2004344617.tif 000003
(57)【要約】【課題】部分的な汚れや、破損によりお客様に使用出来なくなっていた理容美容用ケープを簡単な方法によって経済的かつ効果的に利用でき、襟部と首部との間に隙間ができずらく、お客様への着用がスムーズにおこなえる理容美容用ケープを提供する。【解決手段】上部１と下部２は別々に形成されておりその上部１と下部２は着脱自在にファスナー等により連結部３で連結されている。襟部４は放物線状に背中側で面ファスナー等により留められる。【選択図】  図２
2004344614.tif 000002
【特許請求の範囲】
【請求項１】
襟部から胸部にかけての上部と胸部から足元部にかけての下部が別々に形成されており、その上部と下部の接するところにおいて着脱自在にファスナー等により連結されることを特徴とする理容美容用ケープ。
【請求項２】
前記上部の襟部は開放可能な合わせ部を備え、その円形開口部の形成が背中側で放物線状に面ファスナー等により留められることを特徴とする請求項１に記載の理容美容用ケープ。
【発明の詳細な説明】
【０００１】
【発明の属する技術分野】
本発明は、いずれも防水加工された布地で縫製され上部と下部が別々に形成されている、その上部と下部が着脱自在に連結され、連結部はファスナー等により縫着されており外部の力により容易に脱落しないようにしたものである。また、本発明は、理容美容用ケープを着用した際、襟部の円形開口部の形成が背中側で放物線状に面ファスナー等により留められるようにしたものである。
【０００２】
【従来の技術】
従来、理容美容用ケープは、その本体が一体で形成されていて理美容技術者の施術により、その本体の１部分にでもヘアーカラー剤やパーマ剤の汚れ及び器具による破損が起こると、そのケープはお客様への着用ができなくなった。また、襟部の円形開口部の形成が首部の周囲にそって留められるように形成されており襟部と首部との間に隙間が出来やすく理美容技術者の施術がしずらい襟部の留め方であった。
【０００３】
【発明が解決しようとする課題】
従来、理美容用ケープは部分的な汚れや、破損でもケープ本体全てを使用出来なくなる問題点を有していた。また、襟部円形開口部の留め方が隙間の出来やすい問題点を有していた。
【０００４】
【課題を解決するための手段】
上記目的を達成するために、ケープ本体を上部と下部に分離し着脱自在にファスナー等により連結できるようにした。また、襟部円形開口部の留め方を放物線状に背中側で留められるようにした。
【０００５】
【発明の実施の形態】
本発明は、上部と下部を分離しファスナー等で着脱自在に連結することを可能にし、襟部の留め方を放物線状に背中側で留められるようにした理容美容用ケープで、それを図面について説明すれば、図１の上部１と下部２を３の接するところにおいて着脱自在に連結し図２の背中側襟部４の様に放物線状に留める。
【０００６】
【発明の効果】
このようにすれば、上部と下部が取り外しできるため、汚れや器具による破損がおきてもその部分の交換が可能となり経済的かつ効率的である。また、襟部と首部の間に隙間ができずらく、お客様への着用がスムーズにおこなえ理美容技術者の施術がしやすい。
【図面の簡単な説明】
【図１】上部と下部の正面、立面図である。
【図２】上部と下部の背面、立面図である。
【符号の説明】
１  上部
２  下部
３  連結部
４  背中側襟部
【図１】
2004344614.tif 000003
【図２】
2004344614.tif 000004
(57)【要約】【課題】  洗濯物が掛けやすく、室内及び室外に簡単に干せるスタンド吊りかけ兼用物干しハンガーを提供する。【解決手段】  スタンド上部に軸受けを設け、この軸受けに着脱可能にハンガーの中央に軸を設けたことを特徴とする。【選択図】    図１
2004344644.tif 000002
【特許請求の範囲】
【請求項１】
スタンド（１）の上部に軸受け（４）を設け、この軸受けに着脱可能に軸支された複数のアームを有するハンガー（８）を設けたことを特徴とするスタンド吊りかけ兼用物干しハンガー。
【請求項２】
スタンド（１）の上部に軸受け（４）を設け、この軸受けに着脱可能に従来の折りたたみ式タオルハンガー（１５）に取り付けできるように形成された軸（１７）を設けたことを特徴とするスタンド吊りかけ兼用物干しハンガー。
【発明の詳細な説明】
【技術分野】
【０００１】この発明は、洗濯物が掛けやすく室内及び室外に簡単に干せる物干しハンガーに関するものである。
【背景技術】
【０００２】従来より、スタンド式ハンガーと吊りかけ式ハンガーはそれぞれ専用で室内及び室外に洗濯物を干していた。
【特許文献１】実開平５−９４８７に記載された従来の物干し器はたくさんの洗濯物が干せますが、物干し竿に吊り下げることはできても洗濯物を干したまま置くことができません。そこで両方できるようにしました。
【発明の開示】
【発明が解決しようとする課題】
【０００３】  そのため次のような問題点があった。
（イ）  スタンド式ハンガーは手もとにアームがあるので洗濯物が掛けやすいが室外に置く場合、狭い団地等のベランダでは邪魔になる。
（ロ）  吊りかけ式ハンガーは室外にたくさん干せるが、狭い団地等のベランダでは洗濯物が掛けにくい。
【課題を解決するための手段】
【０００４】スタンド（１）の上部に軸受け（４）を設ける。ハンガー（８）の中央に軸（６）を設ける。以上の構成からなるスタンド吊りかけ兼用物干しハンガーである。
【発明の効果】
【０００５】室内でタオルや靴下及び小物の下着類の洗濯物が掛けやすく、そのままベランダの物干し竿に簡単にかけることができるため、作業時間が少なくて済む。
【発明を実施するための最良の形態】
【０００６】（イ）  一組のＵ型のスタンド（１）に心棒（２）を通し、下部に紐状の開脚止め（３）を取り付け、上部の両端に軸受け（４）を設ける。
（ロ）  １０本の棒状のアーム（５）を２本の軸（６）で組み立て、１本の軸（６）は軸受け（４）に置ける長さにする。金属板（７）を番いとして一組のハンガー（８）を設ける。
（ハ）  金属板（７）の中央に吊りかけ金具（９）を取り付ける。
（ニ）  アーム（５）の２０本の先端に洗濯物止めのクリップ（１０）を取り付ける。さらに、１本の先端に紐状の吊りかけ金具（１１）を取り付ける。
本発明は以上のような構成で、これを使用するときは、室内でスタンド（１）にハンガー（８）をセットして洗濯物を掛け、ハンガー（８）を外してベランダの物干し竿に干す。洗濯物の風ぶれ防止に紐状の吊りかけ金具（１１）をかける。雨模様のときは室内でスタンド（１）に干す。
使用しないときはスタンド（１）とハンガー（８）は折りたたんで収納する。
【実施例１】
【０００７】なお図４に示すように、軸受け（４）の代わりに、スタンド（１）の上部の両端から２本の支軸（１２）を渡し、その中央に軸受け（１３）を設ける。この軸受け（１３）に着脱可能にハンガー（８）の中央の低部にポール状の軸（１４）を設けてもよい。
【実施例２】
【０００８】図５に示すように、従来の折りたたみ式タオルハンガー（１５）に取付けできる軸（１７）を設け、スタンド（１）の軸受け（４）に着脱可能としてもよい。
【図面の簡単な説明】
【０００９】
【図１】  本発明の着脱状態の斜視図
【図２】  本発明のスタンド式使用状態を示す斜視図
【図３】  本発明の吊りかけ式使用状態を示す斜視図
【図４】  本発明の他の実施例を示す斜視図
【図５】  本発明の他の実施例を示す斜視図
【符号の説明】
【０００１０】  １    スタンド
２    心棒
３    紐状の開脚止め
４    軸受け
５    アーム
６    軸
７    金属板
８    ハンガー
９    吊りかけ金具
１０  クリップ
１１  紐状の吊りかけ金具
１２  支軸
１３  軸受け
１４  軸
１５  従来の折りたたみ式タオルハンガー
１６  取付けクリップ
１７  軸
【図１】
2004344644.tif 000003
【図２】
2004344644.tif 000004
【図３】
2004344644.tif 000005
【図４】
2004344644.tif 000006
【図５】
2004344644.tif 000007
(57)【要約】【課題】汚染土壌の土壌洗浄を現地で行えるようにする。【解決手段】特殊ポンプと遠心分離装置（米国特許）と凝集沈降剤（特願２０００−７１２８３）を組み合わせることにより小型で汚染土壌の現地洗浄が行える。【選択図】    図１
2004344865.tif 000002
【特許請求の範囲】
【請求項１】
土壌汚染が認められる現地において汚染土壌に水を加えて高圧特殊ポンプを通過させて洗浄し、遠心離装置（米国特許Ｎｏ．３２８９６０８、３５１２６５１、３５６８８３７、３７０１４２５、３９４７３６４、３９６３０７３、４０７２４８１、４１２０７９５、４１４０６３８、４１４７６３０、４１４８７３５、４３０５８２５等に係る機構を有する）で土壌を分級して回収して再生させ、発生する泥水を凝集沈降剤（特願２０００−７１２８３）を使用して汚泥（汚染物質を高濃度で含有する）として回収する方法。
【請求項２】
汚染土壌の洗浄で発生する、汚染物質を高濃度で含有する泥水を凝集沈降剤（特願２０００−７１２８３）を使用して洗浄水として再生させ汚染物質を汚泥として回収する方法。
【請求項３】
米国特許Ｎｏ．３２８９６０８、３５１２６５１、３５６８８３７、３７０１４２５、３９４７３６４、３９６３０７３、４０７２４８１、４１２０７９５、４１４０６３８、４１４７６３０、４１４８７３５、４３０５８２５等に係る機構を有する遠心分離装置を使用して汚染土壌を低汚染土（粒径０．０７ｍｍ以上）と高汚染土（０．０７ｍｍ以下）に分別する方法。
【発明の詳細な説明】
【０００１】
【発明の属する技術分野】
本発明は重金属による汚染が認められる土壌を修復する際に、特殊ポンプ、遠心分離装置（米国特許Ｎｏ．３２８９６０８、３５１２６５１、３５６８８３７、３７０１４２５、３９４７３６４、３９６３０７３、４０７２４８１、４１２０７９５、４１４０６３８、４１４７６３０、４１４８７３５、４３０５８２５等に係る機構を有する）及び凝集沈降剤（特願２０００−７１２８３）を使用することにより、汚染土壌を現地外へ輸送することなく現地で土壌の洗浄処理が行えるものである。
【０００２】
【従来の技術】
土壌中の重金属は主に０．０７ｍｍ以下の粘土鉱物粒子に吸着しているため、土壌を洗浄と分級することで修復することができる。従来、土壌洗浄は場外の大規模な施設を使用して行われている。そのため汚染土壌の場外搬出の必要がある。土壌洗浄は大量の土砂と洗浄水を使用するため装置の規模が小さくすることが難しい。
【０００３】
【発明が解決しようとする課題】
高性能な小型設備を組み合わせることによって現地における土壌洗浄を実現する。さらに土壌洗浄が現地で行えるようになることで、輸送中の有害物質の飛散防止や輸送費用の削減につながる。
【０００４】
【課題を解決するための手段】
土壌洗浄システムの小型化は各々の装置が持つ処理能力が問題となる。本システムでは特殊ポンプを用いたことにより高速洗浄が可能となり、小規模ながら大流量に対応できる遠心分離装置の選定及び凝集反応速度が速い凝集沈降剤の選定により小型化を実現している。
【０００５】
【発明実施の形態】
土壌洗浄の効果が大きい重金属等に汚染される土壌の修復工事において、場外搬出作業が省略できる。
【０００６】
【発明の効果】
社会問題である汚染土壌を現場で処理することにより、現場外への搬出費用の削減が見込め工事費が下がることにより汚染修復が行いやすい。洗浄システムの活用で土壌を再使用することで廃棄物量の削減につながる。
【図面の簡単な説明】
【図１】本システムの概念図を図１に示す。重金属等に汚染された土壌を現地で洗浄処理し、低濃度汚染土と高濃度汚染土に分別し高濃度汚染土のみを廃棄する。
【符号の説明】
１    汚染土壌
２    水槽
３    駆動高圧ポンプ
４    洗浄ユニット
５    泥水貯留槽
６    シャワー付振動ふるい（１２ｍｍ）
７    埋め戻し用洗浄土（１２ｍｍ以上）
８    汚染土含有泥水
９    泥水貯留槽
１０  土砂粒径１２ｍｍ以下
１１  遠心分離装置
１２  脱水コンベアー
１３  埋め戻し用洗浄土（粒径０．０７〜１２ｍｍ）
１４  土砂粒径０．０７ｍｍ以下
１５  凝集剤添加装置
１６  凝集沈殿槽
１７  返送処理水
１８  貯泥槽（高濃度汚染土）
１９  脱水機（フィルタープレス等）
２０  高濃度汚染土脱水ケーキ（０．０７ｍｍ以下、処分施設へ）
【図１】
2004344865.tif 000003
(57)【要約】【課題】産業廃棄物等の堆積物層をバウンド、飛散、側方移動盤膨れを起こさず貫入し易い、多角錐形形状、もしくは円錐形形状又は多角錐形プラス角柱、もしくは円錐形プラス円柱を一定面積の盤板に連結し、その上部に起振動機、衝撃装置機を連結して、全体の重量に振動及び衝撃を加えつつ、産業廃棄物堆積物層へ貫入し早期に堆積物を圧縮し、処分場並びに堆積物、捨場の容積を増大させる事の出来る工法及び装置、特許工法である【解決手段】産業廃棄物等の堆積物層に多角錐形、円錐形状の突起体を複数本盤板に取り付け、それらの重量と起振動機、衝撃装置機の重量を組み合わせその改良本体に振動、衝撃を加え貫入し、間隙を早期に圧縮する。【選択図】      図１
2004344864.tif 000002
【特許請求の範囲】
【請求項１】
貫入エネルギー装置を上載した一定面積の盤板の下部に特殊形状の突起体を複数本取り付けて、産業廃棄物等の堆積物を早期に圧縮する工法及びその装置
【請求項２】
貫入エネルギー装置とは、一定面積の盤板上部に連結された振動機又は衝撃機であり、盤板下部の突起体の数により、エネルギーの大きさを変化させる
【請求項３】
突起体は突起体の先端を貫入し易い角度とし、角錐形体（多角形）又は円錐形体、それに多角柱体プラス多角錐体、円柱体プラス円錐体、の組み合わせた形状
【請求項４】
角錐体、円錐体の先端角度は角錐体、円錐体の中心線から１５度より７５度の範囲を基準とし、産業廃棄物等の間隙の大小により変化させる。
【請求項５】
角錐体、円錐体は打ち込み時の、傾斜防止と振動伝播を良くする補強用、リブ材を取り付ける事も特徴である。
【請求項６】
本発明の特徴である複数本の配列により貫入した場合、突起体と突起体の間に挟まれた堆積物は逃げ場が無く強制的に圧縮去れる構造装置
【請求項７】
貫入エネルギー装置本体の重量と盤板下部に取り付けた各種突起体の組み合わせ重量に振動、衝撃を加える事により産業廃棄物の面状堆積状況を破壊し強制圧縮をする工法及び装置
【発明の詳細な説明】
【０００１】
【発明の属する技術分野】
本発明は間隙の大きい産業廃棄物等の堆積物を早期に強制圧縮する産業廃棄物等堆積物圧縮処理工である。
【０００２】
【従来の技術】
従来迄の技術はダイレクトパワー方式、円球玉の上下落下方式、等又はブルトウザー往復、踏み固め、ユンボ往復踏み固めガ一搬的である。ダイレクトパワー方式、又は円球玉方式はバウンド又は横移動、飛散等にて其の効果はすくなっかたので、飛散したり、横移動せず締め固めることを考案した。
【０００３】
【発明が解決しようとする課題】
従来までの工法によるバウンド、飛散、横移動等による締固め効果の不経済性の課題を解決すべく、バウンドに対しては円弧の面状でなく出来るだけ点状に考え錐形とし貫入時には堆積物は下方向へ圧縮され飛散も同時に消され、尚且突起体と突起体の間に挟まれた堆積物は上部へは逃げられず上部盤板と貫入エネルギー装置の重量に抑えられ、尚振動、衝撃により圧縮出来るように経済性も考慮した。
【０００４】
【課題を解決するための手段】
本発明の手段は産業廃棄物等の堆積物の間隙状況、堆積物の内容、堆積方式、周辺状況、等を加味し錐形により間隙の大小に付いて錐形は最適であり飛散、バウンド、堆積物の内容、堆積方式、側方移動等すべて解結できる特徴を持っている。尚、複数本を同時施工出来るので経済的である。
【０００５】
【発明の実施形態】
本発明の実施形態は現況の把握、調査、設計計画、測量、工事、管理と一搬的であるが施工時の管理が大事となる。
施工時のガスの噴出、悪臭による健康管理等施工方法の手順変更の対処等考慮して実施出来る管理者を配置出来る形態とする。
【０００６】
【発明の効果】
本発明により数多い満杯化されている各処分場は、更に産業廃棄物の投入が可能となり社会に大きく貢献することが出来る。
満杯化されていない各処分場は中間圧縮にて、処分場容積拡大が計れる。
【図面の簡単な説明】
【図  １】起振動機、衝撃機械を盤板に取り付け、盤板下部に複数本の錐形突起体連結し打ち込み、引き揚げ実施図である。
【図  ２】錐形各種の図である。
【図１】
2004344864.tif 000003
【図２】
2004344864.tif 000004
(57)【要約】【課題】建設複合廃材を分離精製しリサイクル原料として回収する過程において、比重差がほぼ同一の骨材とガラスを分離する方法はなかったが、本発明により、各素材が持つ強度差の特性を利用してガラスを微粉化することで、骨材とガラスの分離が可能となる。【解決手段】建設複合廃材を分離精製して回収した骨材とガラスが混在したガラス混入骨材から、ガラスを分離する方法として骨材とガラスが混在した物質の粒子同士を衝突させる方法により、骨材の粒径は微粉にならないように、強度差の特性を利用して低強度のガラスを微粉化し高品質骨材とガラスを分離回収する方法である。【選択図】        図１
2004344868.tif 000002
【特許請求の範囲】
【請求項１】
建設複合廃材から骨材を分離回収する方法として、破砕した後、比重を利用した湿式の選別方法を採用する場合、比重の差が殆どない骨材とガラス成分に対して、骨材とガラス成分の破砕強度の差を利用して摩鉱によりガラス成分を骨材より微粉化させて分級し骨材を回収する方法。
【請求項２】
微粉分離したガラス成分と骨材成分との混合物は、湿式の遠心分離法により骨材とガラス成分に分離し、骨材リサイクル原料及びガラスリサイクル原料として利用する。
【請求項３】
微粉混合物は、アスファルト舗装用材料、盛土材、インターロッキングブロック用骨材、道路縁石用骨材等の土木工事用資材及びグラスウール、タイル等の建築工事用資材のリサイクル原料として利用する。
【発明の詳細な説明】
【０００１】
【発明の属する技術分野】
本発明は、骨材とガラス成分が混在した状態の建設複合廃材からガラス成分を微粉化して骨材を回収する。
【０００２】
【従来の技術】
骨材とガラス成分が混在した廃材を分離回収する技術はない。従って廃棄物として埋立処分されていた。
【０００３】
又、建設複合廃材の分離技術は比重選別法による物質の比重差を利用して分別して回収する方法があるが、比重差がほぼ同一の骨材とガラス成分を選別することは困難であった。
【０００４】
【発明が解決しようとする課題】
本発明は特に建設複合廃材中に含まれるコンクリート殻系の廃棄物は重量割合において全体の約６０％を占めているがこれらコンクリート殻系に混在する窯業系材料即ち、レンガ、ガラス、陶器類のうちガラス系はコンクリート殻を構成する材料である骨材即ち、砂利及び砂と同程度の密度であり、分離する手段がなかった。但し、比重差の近い物質同士の粉砕処理を行うことで各素材が持つ強度差の特性を利用して建設複合廃材中に含まれるガラス系物質を微粉化することにより、骨材とガラス成分を分離することが可能であり、リサイクル原料として回収することにある。
【０００５】
【課題を解決するための手段】
既存技術による建設複合廃材の比重選別法の分離精製技術は各素材の比重差を利用して選別する技術であるが、例えば骨材とガラスのように比重差がほぼ同一の物質は分離ができない。従って本発明は建設複合廃材中の骨材とガラスが混入した物質の粒子同士を衝突させる方法により、骨材の粒径は微粉にならないように強度差の特性を利用して、低強度のガラスを微粉化する事により、建設複合廃材中のガラス混入骨材において、湿式状態において骨材とガラスを分離する方法である。
【０００６】
更に建設複合廃材には、多種類の物質が混入していることが多いため、建設複合廃材を、他の混入物質とガラスが混入している骨材とに分離回収してからガラスを微粉化するシステムを併設しているが、分離する技術は湿式の比重選別方式を採用する。
【０００７】
【発明の実施の形態】
発明の実施の形態を実施例に基づき図面を参照して説明する。ガラスが混在した骨材からガラスを微粉化する準備工程として、図１フロー図に示す建設複合廃材を▲１▼湿式比重選別機にて分離精製を行い、建設複合廃材を他の分離物質とガラス混入骨材に分離する。
【０００８】
分離したガラス混入骨材は▲２▼粉砕機で処理すると、骨材の粒径及び形状はさほど変化せず、ガラス混入骨材中の粒径の大きなガラスは細粒化及び微粉化し、ガラス混入骨材中の粒径の小さなガラスは微粉化する。
【０００９】
湿式比重選別機の特性として比重差がほぼ同一の物質を分離精製した場合、選別室内において粒径の大きな物質ほど下層に、粒径の小さな物質ほど上層に位置する特性があり、同一比重物質の場合、原料状態にもよるが、ある程度任意の粒径による選別が可能である。
【００１０】
この特性を利用して、▲２▼粉砕機により処理したガラス混入骨材を、▲３▼粉砕湿式比重選別機による選別で粗粒骨材（以下粗骨材という）及び細粒ガラス混入骨材及び微粒ガラス混入骨材に分離する。
【００１１】
▲３▼粉砕湿式比重選別機により分離した細粒ガラス混入骨材は▲４▼微粉砕機で処理を行い、細粒骨材（以下細骨材という）の粒径及び形状はさほど変化せずガラスが微粉化する。
【００１２】
微粉砕機で処理した細粒ガラス混入骨材は▲５▼細粉湿式比重選別機により、細骨材及び微粒ガラス混入骨材に分離する。微粒ガラス混入骨材は、▲６▼湿式遠心分離機により、微粒骨材と微粒ガラスに分離する。微粒ガラス混入骨材を回収する方法として、実施例においては▲３▼粉砕湿式比重選別機及び▲５▼細粉湿式比重選別機による分離精製方式を採用し説明しているが▲２▼粉砕機及び▲４▼微粉砕機後にそれぞれ、篩分機を使用して微粒ガラス混入骨材を回収することが可能であり回収する骨材の品質目標により、分級装置を選定する。
【００１３】
また実施例において、ガラスを微粉化する工程として▲２▼粉砕機及び▲４▼微粉砕機の段階を経る方式で説明している。骨材をさほど粉砕せずにガラスを微粉化する方法の一例であるが、分離精製する骨材の粒度、密度、吸水率等の品質目標により粉砕工程を例えば一段階から数段階に変化させるフローを選定することが可能である。
【００１４】
【発明の効果】
建設複合廃材を湿式の選別方法で分離精製して回収する際の、ガラスが混在する骨材は骨材とガラスを分離回収する技術がなく、骨材リサイクル原料としてリサイタル原料にならず、廃棄物として埋立処分されていた。本発明ではガラスが混在している骨材から、骨材とガラスを分離回収することが可能となったことで、分離回収した材料をリサイクル原料として使用することが可能となる。
【図面の簡単な説明】
【図１】骨材中に含まれるガラスを分離する方法の実施例を示すフロー図である。
【符号の説明】
▲１▼    湿式比重選別機
▲２▼    粉砕機
▲３▼    粉砕湿式比重選別機
▲４▼    微粉砕機
▲５▼    細粉湿式比重選別機
▲６▼    湿式遠心分離機
【図１】
2004344868.tif 000003
(57)【要約】【課題】狭い靴の中などを強制的に換気するための、有効に働く薄いシンプルな構造のポンプ機能を実現し、その簡易的な製造方法を提供する。【解決手段】スポンジの持つ弾性と伸縮時に気体を排出し吸引する性質と、筒状に重ね合わせた薄いシートを平らな吸排気弁を組み合わせることで、歩行による繰り返し伸縮運動を与えるだけの、うすく小さなポンプ機能を実現する。【選択図】                図２
2004344541.tif 000002
【特許請求の範囲】
【請求項１】
スポンジの持つ弾性と伸縮時に気体や液体を排出し吸引する性質を利用して、薄い平らなスポンジを、ビニールなどの薄い非通気性のシートで被覆し、同様に薄いビニールシート状の吸気弁と排気弁とを組み合わせ、歩行の時に足の裏に掛かる様な繰り返し圧力に対して、スポンジが伸縮することで吸排気が繰り返される、薄く狭い所でも利用できるスポンジポンプ。
【請求項２】
薄い機密性・柔軟性のあるシートを２枚重ね合わせて、細長く両端が開いた平たい筒状に加工したものの片側を、スポンジ（図１（２）、図２（２））を覆う被覆材（図１（１）、図２（１））に開けた開口部と接合する。そのまま外に向けて取り付けたもの（図１（４）、図２（４））は排気用の弁の機能を果たし、被覆材開口部から内側に向けて折り返して挿入したもの（図１（３）、図２（３））は吸気用の弁の機能を果たす、請求項１記載の薄いシート状の吸気弁（図３）と排気弁（図４）。
【請求項３】
吸気弁自体を硬いプラスチックシートなどで補強し、又は、吸気弁の根元接合部を細いビニールチューブなどで縁取り補強することで、排気の時に掛かる内圧で吸気弁が反転して外に飛び出すことを防ぐ工夫をした、請求項１記載の吸気弁。
【請求項４】
薄い機密性・柔軟性のあるシートを、細長く両端が開いた平らな筒状（図５（１））にして、内部に平らなスポンジ（図５（２））を挿入し、シートの片側の開口部を内側に折り返し挿入して吸気弁（図５（３））にする。更にシートのもう一方の側は排気弁（図５（４））の機能を果たせるだけの十分な長さを持たせた、薄いシート状の吸気弁と排気弁をもつ、請求項１記載のスポンジポンプの簡易的な製造方法。
【請求項５】
請求項４のスポンジポンプを、吸湿性のある布や皮、或いはビニールシートなどで挟み、靴底の形に加工して、排気弁の先を靴の外に向けて排出できる機能を持たせた、強制換気用の靴底或いは靴の中敷。
【発明の詳細な説明】
【０００１】
【産業上の利用分野】
紳士靴だけでなく、長靴や地下足袋のほか女性用ブーツなどの、靴底や靴の中敷として利用できる。
【０００２】
【従来の技術】
強制換気用の靴の中敷としては数多くの特許申請が出されており、中には機械的なプラスチックポンプや弁・チューブなどを組み込んでコンパクトに収納する工夫をした商品も発売されているが、簡易的で有効なポンプ機能を実現し商品化されているものは少ない。（例えば、特許文献１、特許文献２参照）。
【０００３】
【特許文献１】
特許公開２００１−５７９０２
【特許文献２】
特許公開２０００−７０００４
【０００４】
【発明が解決しようとする課題】
狭い靴の中などを強制的に換気するための、有効に働く薄いシンプルな構造のポンプ機能を実現し、その簡易的な製造方法を提供する。
【０００５】
【課題を解決するための手段】
スポンジの持つ弾性と伸縮時に気体を排出し吸引する性質と、筒状に重ね合わせた薄いシートを平らな吸排気弁を組み合わせることで、歩行による繰り返し伸縮運動を与えるだけの、うすく小さなポンプ機能を実現する。
【０００６】
【発明の実施の形態】
薄く平らなポンプが実現できるため、靴底或いは靴の中敷に組み込んで、排気弁を靴開口部から外に向けて取り付けたり、或いは、排気弁の先に細い排気用のチューブを取り付け、そのチューブを靴の内側に沿って靴開口部まで貼り付けることで、強制的に靴内部の湿った空気を外に排出できるので、長靴や女性用ブーツなどの深い靴にも利用できる。
【０００７】
【実施例】
図１（斜視図）と図２（断面図）に、請求項２の吸気弁と排気弁を靴の中敷に適用した時の一例を示す。スポンジを柔らかい機密性のある材料（１）で被覆密封し、足先側と踵側に夫々吸排気口（３，４）を取り付ける。踵側の排気口は、靴の高さ近くまで立ち上げると給排気による換気がより効果的である。図５（平面図）と図６（断面図）に、請求項４の製造方法で作られるスポンジポンプの一例を示す。両端の開いた筒状の平たいシート（１）の中に、平らなスポンジ（２）を挿入し、片方の口を内側に折り返して吸気弁（３）とし、残る一方を排気弁（４）とする。
【０００８】
【発明の効果】
本来、靴は日本のような湿気の多い気候には合わず、毎日多くの日本人が足の蒸れと、そこから発する臭いに悩まされているが、靴の中を強制的に換気できる中敷を使用することで、少しでも快適な生活を送ることが出来る。
【図面の簡単な説明】
【図１】足先側と踵側に夫々給排気口を設けた靴中敷の斜視図。
【図２】足側先から吸引して踵側から排気する場合の靴中敷の横方向断面図。
【図３】請求項２の吸気弁（３）の透視図。
【図４】請求項２の排気弁（４）の透視図。
【図５】請求項４のスポンジポンプの平面図。
【図６】請求項４のスポンジポンプの断面図。
【符号の説明】
（１）被覆材
（２）スポンジ
（３）吸気弁
（４）排気弁
【図１】
2004344541.tif 000003
【図２】
2004344541.tif 000004
【図３】
2004344541.tif 000005
【図４】
2004344541.tif 000006
【図５】
2004344541.tif 000007
【図６】
2004344541.tif 000008
(57)【要約】【課題】棚柱を利用したガラス棚等の下に照明器具類を設けた際、配線コードが見える点を解消するとともに、安価で自由度の高い照明計画を可能にする。【解決手段】１２Ｖを主とする低い電圧用の安定器１と、左右２本の棚柱３を配線コード２でそれぞれ接続すると、棚柱に取り付けた棚受け類４は電気が流れる状態になる。例えば市販のマグネット式スポットライトを取り付ける場合、２本の角パイプを平行に並べて、その間に絶縁体を挟んでそれぞれを両面テープで固定のうえ、棚受けに引っ掛けるためのツメを１ヶずつ打ち込み、反対側の端部にはキャップを打ち込んだだけの簡単な構造の金物５を用意し、それを通電している棚受け類４に引っ掛けるだけで点灯することになる。なお、この場合に使用するスポットライトは、平行する２本の電極に磁力で吸着して点灯する照明器具として市販されている。【選択図】        図３
2004344507.tif 000002
【特許請求の範囲】
【請求項１】
従来、棚を受ける用途などに利用される棚柱と棚受け金物に、１２Ｖを主とする低い電圧の電気を直接流し、極めてシンプルな配線及び照明を可能にする。
【請求項２】
照明器具類が棚受けから低い電圧の電気を受けるために、棚受けに掛けて使用出来るように爪の付いた、絶縁された２本の平行な金物。
【発明の詳細な説明】
【０００１】
【発明が属する技術分野】
本発明は、棚を受ける用途などに利用される棚柱と棚受けに、１２Ｖを主とする低い電圧の電気を流し、市販のマグネット式スポットライトなどの点光源をはじめとする照明器具やその他の器具を使用するための、電気を伝える器具としての機能を付加する。
【０００２】
【従来の技術】
従来はガラスケース内をはじめとする棚下に、１２Ｖを主とする低い電圧用の照明器具類を設置する場合、別途に配線ダクトなどの配線器具を設けてそこから電気を取っていたのだが、それでは配線が目障りであるし、特にガラス棚の下にハロゲンランプ等の点光源を設けるのはコストや外観の面からも問題が有った。
【０００３】
【発明の実施の形態】
図面と併せて説明すると、左右の棚柱３の各々を配線コード２を使い安定器１と接続すると、棚柱に取り付けた棚受け類４は電気が流れる状態になる。例えば市販のマグネット式スポットライトを取り付ける場合、２本の角パイプを平行に並べて、その間に絶縁体を挟んでそれぞれを両面テープで固定のうえ、棚受けに引っ掛けるためのツメを１ヶずつ打ち込み、反対側の端部には絶縁用のキャップを打ち込んだだけの簡単な構造の金物５を製作して、通電している棚受け類４に引っ掛けるだけでスポットライトが点灯することになる。
【０００４】
【発明の効果】
この方法のメリットは、中途配線を廃したシンプルな照明計画が可能になる点と、殆どが市販材料であるためコストパフォーマンスの面で非常に優れている点、及びディスプレイ関連で応用出来る範囲が広い点である。特にガラスケースでは限られたスペース内で比較的自由度の高い照明計画が出来るようになる。また、１２Ｖの場合、濡れた手で両方の電極に触れた場合でもごく僅かに感じる程度の電気であり、ショートした瞬間に保護回路が働くことで通電が止まる仕組みの、安全な安定器が安く市販されているので、安全性とコストについては問題無い。
【０００５】
【実施例】
ハロゲンスポットのような点光源の場合、図面中の参考写真のようになる。
【図面の簡単な説明】
【図１】配線例の正面図である。
【図２】配線例の断面図である。
【図３】マグネット式ハロゲンスポット用金物を含めた、参考用の透視図である。
【図４】既製品の材料を組み合わせて作った、スポット用金物の参考図である。
【図５】市販のマグネット式ハロゲンスポットを取り付けた場合の参考写真である。
【符号の説明】
１    安定器
２    配線コード
３    棚柱
４    棚受け類
５    配線用金物の例
【図１】
2004344507.tif 000003
【図２】
2004344507.tif 000004
【図３】
2004344507.tif 000005
【図４】
2004344507.tif 000006
【図５】
2004344507.tif 000007
(57)【要約】【課題】バクテリアの発生しない、衛生的なマグロの置き台を提供する。【解決の手段】木製品を金属製にすることを特徴とする。耐食性アルミニューム合金を用いて成形技術の開発を行い、液体の流れのよい、水捌けのよい、乾燥しやすい剛性体を作る。これを単体または複数の構造物にしてマグロの置き台を製作し、提供する。同時に、脚輪がつくようにして重いマグロの移動を容易にする。【選択図】図４
2004344598.tif 000002
【特許請求の範囲】
【請求項１】
金属板を樋型に成型し底部を平面または曲面とした、特徴ある金属の剛性体を成形し、その面にマグロを並べる置き台。
【請求項２】
本金属合成体の複数本並列にならべて、連結用剛体で固定したマグロ用の置き台。
【請求項３】
金属板を成型して大と小の樋型の剛性体を作り、小に脚輪を着けて台車として、大の剛性体をそのうえにかぶせて重ね、移動可能にした可動型マグロ置き台。
【請求項４】
海水、マグロ肉汁に腐食しないＭｇ系アルミ合金を用いることを特徴としたマグロ用置き台。
【発明の詳細な説明】
【０００１】
【発明の属する技術分野】
この発明はマグロの卸業者が中卸業者に、マグロの競売をする際に用いるマグロを置く台に関するものである。
【０００２】
【従来の技術】
従来、木の角材を簀子状に組み立てて、その下に横桁をとうしてそれらの交点は釘で留めて、その上にマグロを並べて競売していた。簀子の上で魚体を水で洗うため、濡れている状態で競売は行われる。終わると隅に積まれて乾燥される。このように一日のうちに、ある時間は濡れその他の時間は乾く。それを繰り返していた。
【０００３】
【発明が解決しようとする課題】
この木製の簀子には次のような問題があった。
洗浄用の水とマグロから出てくる塩分のある肉汁を木材が吸収し、膨潤し、数週間で腐敗していた。横桁との交点の留め釘が錆びるために短寿命であった。錆、腐敗部は黒変して、バクテリアが発生していた。
食の安心安全を脅かす、衛生上の問題が発生していたが、木製の簀子型では、その解決ができなかった。その上、角材の上にマグロを置いたり、動かしたりすることは身肉の一部にのみ応力が集中し、時にマグロに打ち身を生ずる問題があった。マグロは１００キログラムを越すものも多くそのハンドリングには従来から問題があった。
本発明は、これらの問題を解決しようとするためになされたものである。
【０００４】
【課題を解決するための手段】
塩水、マグロの肉汁に溶出しない、且つそれによって保護皮膜を形成する特殊なアルミニューム合金を選出する。
この金属板を平面または曲面のある樋型に成形して、排水性が良好で勝つマグロを載荷した際の加重に耐えうる剛性体を設計し、製作する。これを腐食のしやすい溶接でない接合方法によって組み付けを行い、液体の滞留のない構造にする。これによりバクテリアの発生を防止して衛生上の問題を解決する。
このアルミニュームの剛体を、単体で、また複数組み合わせてマグロの置き台にする。重量が１０キログラム以下で人が持ち運びできる、なども設計の条件に入る。
マグロを載せての移動は単体、または組み合わせた剛性体に脚輪を着けて可動性を与える。特に競売中マグロの出し入りの多いときは、以下のように機能を架台製と移動性を分けて、マグロにとっても安全な、優しい移動を行う。
大と小の組み合わせで剛体を成形して、小には脚輪を装着し台車を作る。
小のみ、または小に大を重ねて載せ、マグロを移動させる。可動型のマグロの置き台にする。
本発明は、耐食性のアルミニーム合金を成形して樋型の剛体を作り、水はけのよい、乾燥特性にも優れているためにバクテリアの発生のないものにする。これを単体、または複数を組み立てる、これに軽量、高剛性を与えたうえで、一部に脚輪を着けて、マグロ競売場でのハンドリングと移動を容易にした、金属製のマグロ置き台である。
【０００５】
【発明の実施の形態】
以下本発明の実施の形態について説明する。
アルミニューム合金板、約２ミリの厚さのものを（４）のごとくに、樋型に成形する。その内側に入るような寸法の、小型の、樋型（４）を作る。それに脚輪（８）を着ける。大きい（４）をちいさい（４）に載せて移動型のマグロ置き台とする。各々を単体で用いることもある。
【０００６】
【発明の効果】
水はけがよく、乾燥も速いので腐食、腐敗がなくなりバクテリアの発生が止まる。マグロの扱い、移動が容易になり、無理な扱いが減るために、魚肉の傷みも減る。置き台の寿命も長くなり、木材の廃却もなくなるので環境問題にも寄与している。
昨今、食の安心安全のためにマグロは低音室で抗菌床、殺菌灯のもとで競売されるようになりつつある。その低温室でのマグロの置き台として、これらの機能を生かすことができる。
食の“安心安全”のために今多くの技術開発がおこなわれてきている、その一部を担うことになっている。
【図面の簡単な説明】
【図１】従来の木製、簀子状置き台の斜視図である。
【図２】本発明の単体型の斜視図である。
【図３】本発明の組み立て型の斜視図である。
【図４】本発明の大と小の剛体があり、小に脚輪を着けて可動方にした場合である。
【図５】応力の分布の模式図である。
【符号の説明】
１横桁
２縦桁
３釘
４樋形アルミニュームの剛体
５ゴム脚
６連結用の樋形アルミニュームの剛体
７リベット
８脚輪
９マグロ
１０応力分布の模式図
【図１】
2004344598.tif 000003
【図２】
2004344598.tif 000004
【図３】
2004344598.tif 000005
【図４】
2004344598.tif 000006
【図５】
2004344598.tif 000007
(57)【要約】      （修正有）【課題】建物の外壁に身体を乗り出す怖さと危険を排除する。【解決手段】建物内部のベランダや部屋の床に任意の降下口を設け、そこに下半身を入れる為の穴６をもつ循環ベルト２を設置する。【選択図】図１
2004344593.tif 000002
【特許請求の範囲】
【請求項１】
建物のベランダとか、部屋の床に降下口を設け、建物外に身を乗り出す危険や恐怖に曝される事無く、座つた儘降下具を身につけ降下を可能ならしめた。
【請求項２】
循環ベルトを支柱軸に掛け渡し、両サイドが有機的に降下機能と上昇機能と相反する機能をなす処に着眼し、降下ベルト面に体を乗せ、手、脚、股で、両ベルト面を抱え込み抵抗を与えれば緩急自在な降下が出来、停止も自在となる構造。
【請求項３】
降下ベルトの先端部に任意の穴を設けこれに脚先から下半身をを入れ、安全容易に身体を保持する形態とした。
【発明の詳細な説明】
【０００１】
【発明の属する技術分野】
本発明は火災災害時迅速安全に避難できる救命降下具に関するものであります。
【０００２】
【従来の技術】
従来縄梯子ロープ又はそれに類する物あつたが、備付け式で大掛かりで取扱不便という難点があつた。う
【０００３】
【発明が解決しようとする課題】
従来の救命具は建物の外側に体を乗り出すので、危険であり、心理的にも、恐怖感を煽り不測の事態を招きかねなかつた。
是等の問題点を抱えていた。
【０００４】
【課題を解決する為の手段】
本発明は恐怖心も無く、日常茶飯事のごとく、階下に降りられるのは、建物の外に出なくても降下具を安心して使える場所に降下口を設け、課題を解決せんとした。
【０００５】
【発明の実施の形態】
使用に際しては床に設けていた床穴脱出口にサブベルトを垂らしおき、メインベルトの上端部の両脚窖に腰迄いれて穴に腰を掛けサブベルトを股間で挟み込んで置いてから、ズリおります。この際股の絞め加減によつて緩急自在の降下が求めらる。
【０００６】
【実施例】
以下図面に従つて実施令を説明する。
１は循環ベルトの支柱
２は床穴降下口
３はメインベルト
４はサブベルト
５は身体保持口部
１は支柱であり、床降下口直形より長尺でとし、脱落不能とした。
【０００７】
【発明の効果】
火災発生時本発明は建物の外側に身を乗り出す恐怖や危険を排除し、取扱簡単で誰が使かつても容易安全とした。
【０００８】
【図面の簡単な説明】
【図１】は正面図
【図２】は側面図
【図３】は裏面図
【符号の説明】
１  ベルト軸
２  循環ベルト
３  メインベルト
４  サブベルト
５  降下具保持バー
６  脚部捜入穴
【図１】
2004344593.tif 000003
【図２】
2004344593.tif 000004
【図３】
2004344593.tif 000005
【手続補正書】
【提出日】平成15年8月11日(2003.8.11)
【手続補正１】
【補正対象書類名】明細書
【補正対象項目名】特許請求の範囲
【補正方法】変更
【補正の内容】
【特許請求の範囲】
【請求項１】
建物のベランダとか部屋の床に降下口を設け建物外に身を乗り出す危険や恐怖に曝される事無く、座った儘降下具を身につけ、降下を可能ならしめた床下降下ベルト。
【請求項２】
循環ベルトを支柱軸に掛け渡し、上記循環ベルトは身体を乗せる為の幅広部と手、足、で抱え込んだり、股で挟み、締付けたりして抵抗を与え為の幅細部を有する請求項１に記載の床下降下ベルト。
【請求項３】
降下ベルトの先端部に任意の穴を設け之に脚先から下半身を入れ、安全容易に体を保持する形態とした請求項２に記載の床下降下ベルト。